(57)【要約】【課題】    物品の配送或いは供給先で、物品の受領の確認と管理を容易に行うことができる伝票として、更には各種の保険やチケットの申し込み等の確認と管理を容易に行うことができる申込書として使用できる記録票及びこの記録票の製造方法を提供することにある。【解決手段】  シート基材２の裏面に粘着剤層３を有した貼着シート４の該粘着剤層３裏面に、表面に剥離剤層６を有し、裏面に情報記録面を有する情報記録兼用剥離紙５を貼着し、前記貼着シート４のシート基材２表面に情報記録紙８を疑似接着剤層７を介し疑似接着し、前記情報記録兼用剥離紙５及び情報記録紙８の情報記録面に感熱発色剤層９、１０を設けた構成とし、この記録票の製造方法として、情報記録兼用剥離紙５の剥離剤層６面に粘着剤層３を設け、該情報記録兼用剥離紙５をシート基材２の裏面に貼着した後、前記シート基材２の表面に、情報記録面に感熱発色剤層９を設けた情報記録紙８を疑似接着剤層７を介し疑似接着し、更に、前記情報記録兼用剥離紙５の情報記録面に感熱発色剤層１０を設けるようにした。【選択図】  図１
2005186407.tif 000002
【特許請求の範囲】
【請求項１】
シート基材の裏面に粘着剤層を有した貼着シートの該粘着剤層裏面に、表面に剥離剤層を有し、裏面に情報記録面を有する情報記録兼用剥離紙が貼着され、前記貼着シートのシート基材表面に情報記録紙が疑似接着剤層を介し疑似接着されており、前記情報記録兼用剥離紙及び情報記録紙の情報記録面に感熱発色剤層が設けられていることを特徴とする記録票。
【請求項２】
情報記録面に感熱発色剤層を設けた情報記録紙をシート基材の表面に疑似接着剤層を介し疑似接着し、また、情報記録兼用剥離紙の剥離剤層面に粘着剤層を設け、該情報記録兼用剥離紙を前記シート基材の裏面に貼着した後、情報記録兼用剥離紙の情報記録面に感熱発色剤層を設けるようにしたことを特徴とする請求項１に記載の記録票の製造方法。
【請求項３】
情報記録兼用剥離紙の剥離剤層面に粘着剤層を設け、該情報記録兼用剥離紙をシート基材の裏面に貼着した後、前記シート基材の表面に、情報記録面に感熱発色剤層を設けた情報記録紙を疑似接着剤層を介し疑似接着し、更に、前記情報記録兼用剥離紙の情報記録面に感熱発色剤層を設けるようにしたことを特徴とする請求項１に記載の記録票の製造方法。
【請求項４】
シート基材の裏面に粘着剤層を設け、該粘着剤層の裏面に情報記録兼用剥離紙の剥離剤層面を貼着した後、前記シート基材の表面に、情報記録面に感熱発色剤層を設けた情報記録紙を疑似接着剤層を介し疑似接着し、更に、前記情報記録兼用剥離紙の情報記録面に感熱発色剤層を設けるようにしたことを特徴とする請求項１に記載の記録票の製造方法。
【請求項５】
シート基材の裏面に粘着剤層を設け、該粘着剤層の裏面に、情報記録面に感熱発色剤層を設けた情報記録兼用剥離紙の剥離剤層面を貼着し、更に、前記シート基材の表面に、情報記録面に感熱発色剤層を設けた情報記録紙を疑似接着剤層を介し疑似接着するようにしたことを特徴とする請求項１に記載の記録票の製造方法。
【発明の詳細な説明】
【技術分野】
【０００１】
本発明は、物品の配送や管理、各種の保険やチケットの申し込み等に使用される記録票及びその製造方法に関する。
【背景技術】
【０００２】
従来、例えば、配送物品に貼着されて使用される配送伝票として、表面側に感熱発色剤層を設けて情報記録部とした配送票の裏面側に粘着剤層と剥離紙を設け、この剥離紙の表面側にも感熱発色剤層を設けて情報記録部とし、この剥離紙を配送票控えとしたものが開示されている（例えば、特許文献１参照。）。
【特許文献１】特開平１１−３４２６８１号公報
【発明の開示】
【発明が解決しようとする課題】
【０００３】
上記の剥離紙を控え票となる伝票として利用しようとする配送伝票によれば、配送票と、この配送票の裏面側に粘着剤層を介して設けられた剥離紙とにより構成され、その使用にあっては、配送票から剥離紙を剥がして控えとし、配送票を配送物品に貼着して使用するものであるが、かかる配送伝票によれば、配送先での受領票が無く、また、配送票は配送物品に貼着されているので、剥がして受領票とすることもできないことから、配送先で物品を受け取ったことの確認管理をすることができないといった問題がある。
【０００４】
また、前記配送票と剥離紙に設けられている感熱発色剤は、一般に無色又は淡色の塩基性無色染料と、この染料と熱時反応して発色させる有機顕色剤とを主成分とするものであり、高温環境下に置かれると地色部が発色し着色を起こし易いといった面を有する。前記配送伝票にあっては、配送票の裏面側に粘着剤層を設けており、その製造において配送票の裏面側に粘着剤を塗布後、この粘着剤を高温で乾燥させる過程がある。かかる過程で前記配送票と剥離紙に設けられている感熱発色剤が前記粘着剤を乾燥させる高温により発色してしまう危険があるが、かかる危険を回避する製造上の手段までは開示されていない。
【０００５】
本発明の目的は、物品の配送或いは供給先で、物品の受領の確認と管理を容易に行うことができる伝票として、更には各種の保険やチケットの申し込み等の確認と管理を容易に行うことができる申込書として使用できる記録票を提供することにある。  
本発明の他の目的は、感熱発色剤層と粘着剤層を有する記録票を、感熱発色剤の発色のおそれなく製造できるようにした記録票の製造方法を提供することにある。
【課題を解決するための手段】
【０００６】
上記目的を達成するために、請求項１に記載の発明は、シート基材の裏面に粘着剤層を有した貼着シートの該粘着剤層裏面に、表面に剥離剤層を有し、裏面に情報記録面を有する情報記録兼用剥離紙が貼着され、前記貼着シートのシート基材表面に情報記録紙が疑似接着剤層を介し疑似接着されており、前記情報記録兼用剥離紙及び情報記録紙の情報記録面に感熱発色剤層が設けられていることを特徴とする。  請求項２に記載の発明は、前記請求項１に記載の記録票の製造方法であって、情報記録面に感熱発色剤層を設けた情報記録紙をシート基材の表面に疑似接着剤層を介し疑似接着し、また、情報記録兼用剥離紙の剥離剤層面に粘着剤層を設け、該情報記録兼用剥離紙を前記シート基材の裏面に貼着した後、情報記録兼用剥離紙の情報記録面に感熱発色剤層を設けるようにしたことを特徴とする。
【０００７】
請求項３に記載の発明は、前記請求項１に記載の記録票の製造方法であって、情報記録兼用剥離紙の剥離剤層面に粘着剤層を設け、該情報記録兼用剥離紙をシート基材の裏面に貼着した後、前記シート基材の表面に、情報記録面に感熱発色剤層を設けた情報記録紙を疑似接着剤層を介し疑似接着し、更に、前記情報記録兼用剥離紙の情報記録面に感熱発色剤層を設けるようにしたことを特徴とする。
【０００８】
請求項４に記載の発明は、前記請求項１に記載の記録票の製造方法であって、シート基材の裏面に粘着剤層を設け、該粘着剤層の裏面に情報記録兼用剥離紙の剥離剤層面を貼着した後、前記シート基材の表面に、情報記録面に感熱発色剤層を設けた情報記録紙を疑似接着剤層を介し疑似接着し、更に、前記情報記録兼用剥離紙の情報記録面に感熱発色剤層を設けるようにしたことを特徴とする。
【０００９】
請求項５に記載の発明は、前記請求項１に記載の記録票の製造方法であって、シート基材の裏面に粘着剤層を設け、該粘着剤層の裏面に、情報記録面に感熱発色剤層を設けた情報記録兼用剥離紙の剥離剤層面を貼着し、更に、前記シート基材の表面に、情報記録面に感熱発色剤層を設けた情報記録紙を疑似接着剤層を介し疑似接着するようにしたことを特徴とする。
【発明の効果】
【００１０】
本発明の記録票によれば、両面を同時に多重処理で印字できるサーマルプリンターにより、情報記録兼用剥離紙及び情報記録紙の情報記録面に同時に必要な配送情報の書き込みを行うことができる。そして、使用に際しては、貼着シートから情報記録兼用剥離紙を剥がして控えとし、貼着シートを配送或いは供給物品に貼着し、物品の配送或いは供給先で貼着シートに疑似接着されている情報記録紙を剥離して、これを物品の受領票或いは管理票等として使用できる。
【００１１】
本発明の記録票の製造方法によれば、情報記録兼用剥離紙の情報記録面に設けた感熱発色剤層は情報記録兼用剥離紙の剥離剤層面に設けた粘着剤層の高温乾燥の影響を受けず、発色するおそれがない。また、貼着シートの表面に疑似接着している情報記録紙の情報記録面に設けた感熱発色剤層も前記情報記録兼用剥離紙の剥離剤層面に設けた粘着剤層の高温乾燥の影響を受けず、発色するおそれがない。
【発明を実施するための最良の形態】
【００１２】
以下、本発明を実施するための最良の形態を図面に基づいて説明する。  
図１は本発明に係る記録票を実施するための最良の形態の１例を示す斜視図である。本例の記録票１は、シート基材２の裏面に粘着剤層３を有した貼着シート４に、表面に剥離剤層６を有し情報記録紙を兼ねる情報記録兼用剥離紙５が貼着され、前記シート基材２の表面に疑似接着剤層７を介して情報記録紙８が疑似接着されており、前記情報記録兼用剥離紙５及び情報記録紙８の情報記録面に感熱発色剤層９、１０が設けられている。
【００１３】
前記シート基材２としては、紙、再生紙、合成紙、フィルム、プラスチックフィルム、発泡プラスチックフィルム、不織布等、任意のシート状のもの、または、これらを組み合わせた複合シートであってもよい。また、厚さにあっては特に限定されず適宜設計可能であるが、例えば、フィルムの場合は厚さ２０〜１００μｍ程度であり、紙の場合は坪量３０〜２００ｇ／ｍ２程度である。
【００１４】
また、前記シート基材２の裏面に有する粘着剤層３は、公知のゴム系樹脂、アクリル系樹脂等からなる感圧接着剤が用いられる。これらの感圧接着剤の塗工法としては、ロールコーター法、ナイフコーター法、エアーナイフコーター法、ロールナイフコーター法、グラビアコーター法など挙げられる。通常、これらの感圧接着剤は塗布乾燥後、厚さ１０〜４０μｍになるように塗工され、７０℃〜１５０℃程度の乾燥熱で乾燥される。
【００１５】
また、前記シート基材２の表面に疑似接着される情報記録紙８としては、前記シート基材２と同じように、紙、再生紙、合成紙、フィルム、プラスチックフィルム、発泡プラスチックフィルム、不織布等、任意のシート状のもの、または、これらを組み合わせた複合シートであってもよい。また、厚さにあっては特に限定されず適宜設計可能であるが、例えば、フィルムの場合は厚さ２０〜１００μｍ程度であり、紙の場合は坪量３０〜１５０ｇ／ｍ２程度である。
【００１６】
また、前記シート基材２の表面に情報記録紙８を疑似接着する疑似接着剤層７にあっては、公知の方法（例えば、特開平９−２９０４５２号他）により形成すればよい。
【００１７】
具体的には、例えば、シート基材２と情報記録紙８との間に、Ｔダイ押出機による押出ラミネーションやサンドイッチラミネーションにより熱可塑性樹脂を溶融状態で押し出して、シート基材２と情報記録紙８を擬似接着する擬似接着剤層７を形成するものであり、シート基材２と情報記録紙８との間に押し出した溶融状態の熱可塑性樹脂が固化する前に、シート基材２と情報記録紙８を一体としてクーリングロールとニップロールとで挟み擬似接着可能な圧力で圧着してシート基材２と情報記録紙８を擬似接着する。
【００１８】
熱可塑性樹脂としては、ポリエチレン、ポリプロピレン、ポリメチルペンテン等のポリオレフィン系樹脂や、ポリスチレン、ポリエステル、ポリアミドなど溶融押し出しが可能な樹脂であれば、特に制限されない。剥離強度（あらかじめ非接着領域に切込みを入れて剥離のきっかけとした幅１０ｍｍのサンプルについて、その疑似接着領域の９０度剥離に要する力を、ＪＩＳＺ０２３７に準じて測定したもの。）は、剥離が容易にできるように、通常は０．５〜２００ｇ／ｃｍ程度の範囲である。
【００１９】
情報記録兼用剥離紙５は、紙、グラシン紙、再生紙、プラスチックフィルムなどの基材の片面（貼着シート４の粘着剤層３に貼着される面）に、シリコーン樹脂、長鎖アルキル樹脂等の剥離剤が塗布形成された剥離剤層６（通常０．５〜２μｍ厚）を有するものである。用いられる基材等の厚さは特に限定されるものではないが、フィルムの場合は２０〜８０μｍ程度であり、紙の場合は坪量３０〜１５０ｇ／ｍ２程度である。
【００２０】
前記情報記録兼用剥離紙５及び情報記録紙８の情報記録面に設けられている感熱発色剤層９、１０の形成にあっても、従来公知の製造法に従えばよく、通常有機顕色剤、塩基性無色染料、バインダー、顔料およびその他必要な添加剤を含有する感熱発色層塗液を調整し、これを支持体上に塗布乾燥することにより形成される。
【００２１】
有機顕色剤としては特に制限されるものではないが、例えばビスフェノールＡ類、４−ヒドロキシ安息香酸エステル類、４−ヒドロキシフタル酸ジエステル類、フタル酸モノエステル類、ビス−（ヒドロキシフェニル）スルフィド類、４−ヒドロキシフェニルアリールスルホン類、４−ヒドロキシフェニルアリールスルホナート類、１，３−ジ［２−（ヒドロキシフェニル）−２−プロピル］−ベンゼン類、４−ヒドロキシベンゾイル−オキシ安息香酸エステル、ビスフェノールスルホン類、特開平８−５９６０３号記載のアミノベンゼンスルホンアミド誘導体、国際公開ＷＯ９７／０６４２０号記載のアミノベンゼンスルホンアミド誘導体、国際公開ＷＯ００２／０８１２２９号公報記載の化合物、またチオ尿素化合物等が挙げられる。
【００２２】
塩基性染料としては、特に制限されるものではなく、トリフェニルメタン系、フルオラン系、アザフタリド系、フルオレン系等従来公知のものが使用可能である。これらの塩基性染料は単独又は２種以上混合することもできる。
【００２３】
バインダーとしては、重合度が２００〜１９００の完全ケン化または部分ケン化ポリビニルアルコール、各種変性ポリビニルアルコール、ヒドロキシエチルセルロース、カルボキシメチルセルロース等のセルロース誘導体、スチレン−無水マレイン酸共重合体、スチレン−ブタジエン共重合体、ポリ塩化ビニル、ポリ酢酸ビニル、ポリアクリルアミド、ポリアクリル酸エステル、ポリビニルブチラール、ポリスチレン及びそれらの共重合体、ポリアミド樹脂、シリコン樹脂、石油樹脂、テルペン樹脂、ケトン樹脂、クマロン樹脂を例示することができる。これらの高分子物質は水、アルコール、ケトン、エステル、炭化水素等の溶剤に溶かして使用するほか、水または他の媒体中乳化またはペースト状に分散した状態で使用し、要求品質に応じて併用することもできる。
【００２４】
顔料としては、シリカ、炭酸カルシウム、カオリン、焼成カオリン、ケイソウ土、タルク、酸化チタン、酸化亜鉛、水酸化アルミニウム、ポリスチレン樹脂、尿素−ホルマリン樹脂、スチレン−メタクリル酸共重合体、スチレン−ブタジエン共重合体や、中空プラスチックピグメントなどの無機または有機顔料などが挙げられる。
【００２５】
この他に増感剤、画像安定剤、脂肪酸金属塩などの剥離剤、ワックス類などの滑剤、ベンゾフェノン系やトリアゾール系の紫外線吸収剤、グリオキザールなどの耐水化剤、分散剤、消泡剤、酸化防止剤、蛍光染料などを添加することができる。
【００２６】
有機顕色剤及び塩基性染料の量、その他の各種成分の種類及び量は要求される性能および記録適性に従って決定され、特に限定されるものではないが、通常、塩基性染料１部に対して有機顕色剤１〜８部、顔料１〜２０部を使用し、バインダーは全固形分中１０〜２５％が適当である。
【００２７】
これらの材料はボールミル、アトライター、サンドグラインダーなどの粉砕機あるいは適当な乳化装置によって数ミクロン以下の粒子径になるまで微粒化し、バインダー及び目的に応じて各種の添加材料を加えて塗液とする。塗工法としては、手塗り、サイズプレスコーター法、ロールコーター法、エアナイフコーター法、ブレードコーター法、カーテンコーター法等が挙げられる。また、噴霧、吹き付け又は浸漬後、乾燥してもよい。塗布量は特に限定されず、通常乾燥重量で２〜１２ｇ／ｍ２の範囲である。
【００２８】
また、シート基材２又は情報記録兼用剥離紙５と感熱発色剤層９、１０との間にはそれぞれ、発色感度を高めるためにバインダーと顔料を含有する下塗層を設けてもよい。さらに、感熱発色剤層９、１０の上にはそれぞれ、保存性を高めるために高分子物質等からなる保護層を設けてもよい。
【００２９】
上記のような積層構造を有する記録票１は、本例では物品の配送伝票として使用される記録票を示しており、前記情報記録紙８は伝票紙１１となっている。前記伝票紙１１は、荷札１１ａと受領票１１ｂとを構成し、荷札１１ａと受領票１１ｂがハーフカット１２で切り離し可能となっている。また、前記情報記録兼用剥離紙５は、控え伝票１３となっている。前記荷札１１ａ及び受領票１１ｂには、荷札１１ａ及び受領票１１ｂの剥離を容易にするためにハーフカット１２に沿って耳抜き加工等による剥がし口（図示せず）が設けられている。
【００３０】
上記のように構成された配送伝票として使用される本例の記録票を更に具体的に説明すると、一般的には、前記情報記録紙８が坪量５０〜６０ｇ／ｍ２のサーマル紙、疑似接着剤層７の層厚が１０〜４０μｍ、貼着シート４が坪量３０〜５０ｇ／ｍ２の上質紙、粘着剤層３の層厚が１５〜３０μｍ、情報記録兼用剥離紙５が坪量５０〜６０ｇ／ｍ２のサーマルグラシン剥離紙であり、総厚は１００〜３００μｍ程度となっている。
【００３１】
このように構成された配送伝票として使用される記録票１は、両面を同時に多重処理で印字できるサーマルプリンターにより、控え伝票１３となる情報記録兼用剥離紙５及び伝票紙１１となる情報記録紙８の情報記録面に同時に必要な配送情報の書き込みを行うことができる。
【００３２】
そして、使用に際しては、貼着シート４から控え伝票１３となる情報記録兼用剥離紙５を剥がして控えとし、貼着シート４を配送物品に貼着し、物品の配送先で貼着シート４に疑似接着されている伝票紙１１となる情報記録紙８のハーフカット１２から受領票１１ｂを切り離して剥離することにより、配送先で物品を受け取ったことの確認管理をすることができる。
【００３３】
前記貼着シート４に疑似接着されている受領票１１ｂを剥離したとき、疑似接着剤層７は貼着シート４のシート基材２上に残り、受領票１１ｂには疑似接着剤層７が残らない。これにより、受領票１１ｂの機械読み取りを容易にし、誤読や読み取り不能と言った事態が防止される。
【００３４】
なお、本例では、前記伝票紙１１によって構成される荷札１１ａと受領票１１ｂがハーフカット１２で切り離し可能となっているが、これに限られるものではなく、前記情報記録兼用剥離紙５にもハーフカットを施して控え伝票１３を形成してもよい。更には、前記情報記録紙８及び情報記録兼用剥離紙５に、用途に応じて必要な箇所に必要な数のハーフカットを施すことにより、各種の情報を担持した部分を形成してもよい。また、ハーフカットの代わりにミシン目を施してもよい。
【００３５】
また、本例では、記録票１として、配送伝票として使用される例を示しているが、本発明の記録票は配送伝票にその使用が限定されるものではなく、例えば、貼着シート４のシート基材２に疑似接着した情報記録紙８を部品供給確認ラベル紙とし、貼着シート４を部品を収容したコンテナに接着して、供給先で部品供給確認ラベル紙となる情報記録紙８を剥離して部品供給確認と管理をする部品供給確認ラベルとして、また、貼着シート４のシート基材２に疑似接着した情報記録紙８を部品供給指示ラベル紙とし、貼着シート４を部品を収容したコンテナに接着して、供給先で部品供給指示ラベル紙となる情報記録紙８を剥離して部品供給指示ラベル紙に記録されている指示に従った部品供給の確認と管理をする部品供給指示ラベル等として、また、貼着シート４のシート基材２に疑似接着した情報記録紙８を申込書とし、情報記録兼用剥離紙５を控えとして使用される保険やチケット等の申込書としても使用されるものであって、配送伝票、物品管理ラベルとして広く使用されるものである。
【００３６】
次ぎに、上記本発明に係る記録票を製造する方法を実施するための最良の形態例を説明する。  
第１例では、先ず、情報記録面に感熱発色剤層９を設けた情報記録紙８を貼着シート４のシート基材２の表面に疑似接着剤層７を介して疑似接着する。また、情報記録兼用剥離紙５の剥離剤層６面に粘着剤層３を設け、該情報記録兼用剥離紙５の剥離剤層６の面を前記貼着シート４の裏面の粘着剤層３に貼着する。その後、前記情報記録兼用剥離紙５の情報記録面に感熱発色剤層１０を設けることにより前記記録票１を製造する。
【００３７】
なお、前記情報記録紙８の情報記録面及び情報記録兼用剥離紙５の情報記録面に感熱発色剤層９、１０を設けるにあっては、前記公知の手段により設けるものであって、特に限定されるものではない。
【００３８】
このようにすることにより、情報記録兼用剥離紙５の情報記録面に設けた感熱発色剤層１０は、情報記録兼用剥離紙５を前記貼着シート４の粘着剤層３の裏面に貼着した後に設けるので、情報記録兼用剥離紙５の剥離剤層６面に設けた粘着剤層３の高温乾燥の影響を受けず、発色するおそれがない。また、貼着シート４のシート基材２の表面に疑似接着している情報記録紙８の情報記録面に設けた感熱発色剤層９も前記情報記録兼用剥離紙５の剥離剤層６面に設けた粘着剤層３の高温乾燥の影響を受けず、発色するおそれがない。
【００３９】
もし、情報記録兼用剥離紙５の情報記録面に感熱発色剤層１０を設けた後に、該情報記録兼用剥離紙５の剥離剤層６面に粘着剤層３を設けると、粘着剤層３の高温乾燥工程で、情報記録兼用剥離紙５の情報記録面に設けた感熱発色剤層１０が発色してしまい、情報記録面として使用することができなくなる。
【００４０】
第２例では、先ず、情報記録兼用剥離紙５の剥離剤層６面に粘着剤層３を設け、該情報記録兼用剥離紙５をシート基材２の裏面に貼着する。その後、前記シート基材２の表面に、情報記録面に感熱発色剤層９を設けた情報記録紙８を疑似接着剤層７を介し疑似接着し、更に、前記情報記録兼用剥離紙５の情報記録面に感熱発色剤層１０を設けることにより前記記録票１を製造する。
【００４１】
このようにすることにより、情報記録兼用剥離紙５の情報記録面に設けた感熱発色剤層１０は情報記録兼用剥離紙５の剥離剤層６面に設けた粘着剤層３の高温乾燥の影響を受けず、また、貼着シート４のシート基材２の表面に疑似接着している情報記録紙８の情報記録面に設けた感熱発色剤層９も前記情報記録兼用剥離紙５の剥離剤層６面に設けた粘着剤層３の高温乾燥の影響を受けず、発色するおそれがない。
【００４２】
第３例では、先ず、シート基材２の裏面に粘着剤層３を設け、該シート基材２の裏面に情報記録兼用剥離紙５の剥離剤層６面を貼着する。その後、前記シート基材２の表面に、情報記録面に感熱発色剤層９を設けた情報記録紙８を疑似接着剤層７を介して疑似接着し、更に、前記情報記録兼用剥離紙５の情報記録面に感熱発色剤層１０を設けることにより前記記録票１を製造する。
【００４３】
このようにすることにより、情報記録兼用剥離紙５の情報記録面に設けた感熱発色剤層１０はシート基材２の裏面に設けた粘着剤層３の高温乾燥の影響を受けず、また、シート基材２の表面に疑似接着している情報記録紙８の情報記録面に設けた感熱発色剤層９も前記シート基材２の裏面に設けた粘着剤層３の高温乾燥の影響を受けず、発色するおそれがない。
【００４４】
第４例では、先ず、シート基材２の裏面に粘着剤層３を設ける。その後、前記シート基材２の裏面に、情報記録面に感熱発色剤層１０を設けた情報記録兼用剥離紙５の剥離剤層６面を貼着し、更に、前記シート基材２の表面に、情報記録面に感熱発色剤層９を設けた情報記録紙８を疑似接着剤層７を介し疑似接着することにより前記記録票１を製造する。
【００４５】
このようにすることにより、情報記録兼用剥離紙５の情報記録面に設けた感熱発色剤層１０はシート基材２の裏面に設けた粘着剤層３の高温乾燥の影響を受けず、また、シート基材２の表面に疑似接着している情報記録紙８の情報記録面に設けた感熱発色剤層９も前記シート基材２の裏面に設けた粘着剤層３の高温乾燥の影響を受けず、発色するおそれがない。
【図面の簡単な説明】
【００４６】
【図１】本発明に係る記録票を実施するための最良の形態の一例を示す斜視図である。
【符号の説明】
【００４７】
１  記録票
２  シート基材
３  粘着剤層
４  貼着シート
５  情報記録兼用剥離紙
６  剥離剤層
７  疑似接着剤層
８  情報記録紙
９  感熱発色剤層
１０  感熱発色剤層
１１  伝票紙
１１ａ  荷札
１１ｂ  受領票
１２  ハーフカット
１３  控え伝票
【図１】
2005186407.tif 000003